Podtech/llm-jp-corpus-v4-ja_patent huggingface dataset:
(57)【要約】【課題】ヘルメットの保護範囲をより広くすると共に、非常時にすぐさま使用できるように保管する。【解決手段】頭部だけでなく首から背中にかけての部位も保護するため後部を延長したヘルメット１を、平常時には椅子の背もたれとして使用可能にするため、支持軸４及び留め具５によって、着脱自在に座面３に固定する。【選択図】図１
2015048560.tif 000002
【特許請求の範囲】
【請求項１】
頭部だけでなく首から背中にかけての部位も保護ができ、保管時には椅子の背もたれとして使用できることを特徴としたヘルメット。
【発明の詳細な説明】
【技術分野】
【０００１】
本発明はヘルメットの保護範囲をより広くすると共に、非常時にすぐさま使用できるように保管するためのものである。
【背景技術】
【０００２】
従来のヘルメットは、頭部への落下物による衝撃を軽減することなどを目的に開発されている。その多くは半球状の樹脂製であり、多くの場合は棚などに保管されている。
【０００３】
従来の防災頭巾も、ヘルメットと同様の機能であるが、多くは布製であり、衝撃からの保護能力ではヘルメットに劣る。多くの場合は椅子などの背もたれに装着して保管されている。
【発明の開示】
【発明が解決しようとする課題】
【０００４】
従来のヘルメットは保護範囲が小さく、特に前傾姿勢になった時などに、頭部以外への衝撃を防ぐことができなかった。また、その大きさや形状から、非常時にすぐさま使用できる場所に保管することは難しかった。
【０００５】
一方で、椅子などの背もたれに装着して保管する防災頭巾は、非常時にすぐさま使用できるが、その多くは布製であり、落下物などに対して十分な保護能力を確保することが難しかった。
【課題を解決するための手段】
【０００６】
本発明は、頭部だけでなく首から背中にかけての部位も保護するため後部を延長し、かつ、非常時にすぐに使用できるように、保管時には椅子の背もたれとして使用できることを主要な特徴とする。
【発明の効果】
【０００７】
本発明のヘルメットは後部が延長されているため、前傾姿勢で避難しても頭部だけでなく首から背中にかけての部位も保護できる。また、本発明のヘルメットは平常時は椅子の背もたれとして使用可能であるため、非常時にすぐさま使用できる状態で保管できる。
【発明を実施するための最良の形態】
【０００８】
頭部だけでなく首から背中にかけての部位も保護する機能を持ち、平常時は椅子の背もたれとして使用可能なヘルメットを実現するため、後部を延長したヘルメットと、そのヘルメットを着脱自在に固定する機構を備えた座面とで構成し、平常時は椅子として利用できるようにした。
【図面の簡単な説明】
【０００９】
【図１】本発明の側面図であり、平常時に椅子として使用している状態を示すものである。
【図２】本発明の正面図であり、平常時に椅子として使用している状態を示すものである。
【図３】本発明の平面図であり、平常時に椅子として使用している状態を示すものである。
【図４】本発明の上方斜視図であり、平常時に椅子として使用している状態を示すものである。
【図５】本発明の下方斜視図であり、平常時に椅子として使用している状態を示すものである。
【図６】本発明の側面図であり、非常時にヘルメットを取り外している途中の状態を示すものである。
【図７】本発明の側面図であり、非常時にヘルメットを着用した状態を示すものである。
【符号の説明】
【００１０】
１  ヘルメット
２  平常時には椅子の背もたれとして使用可能な、ヘルメットの延長された後部
３  座面
４  ヘルメットを座面に着脱自在に固定する、支持軸
５  ヘルメットを座面に着脱自在に固定する、留め具
６  脚
７  ヘルメットの着用者
【図１】
2015048560.tif 000003
【図２】
2015048560.tif 000004
【図３】
2015048560.tif 000005
【図４】
2015048560.tif 000006
【図５】
2015048560.tif 000007
【図６】
2015048560.tif 000008
【図７】
2015048560.tif 000009
(57)【要約】      （修正有）【課題】自転車の走行が軽く楽に走行出来る様に、クランク，ペダル部にテコ棒を取付けたテコ機構付き自転車を提供する。【解決手段】テコを利用して自転車を軽く速く走る様に、テコ棒の端１を基点として固定する為横方向には動き上下に動かない様に車体の上部より取付けた棒４に連結し、テコ棒の他の端２にペダルを取付け、テコ棒の中間３は自転車のクランクの先端部に取付けペダルを回すとテコ棒の端を支点にしてクランク先端部に大きな力が伝わる機構を特徴とする。【選択図】図１
2015048070.tif 000002
【特許請求の範囲】
【請求項１】
棒を設けてテコ棒とした棒の端を▲１▼として他の端を▲２▼として▲２▼にペダルを付けて、テコ棒のほぼ中央を▲３▼としてベアリングを付けた、自転車のクランクの先端と▲３▼のベアリングを同じ個所に重合してテコ棒のほぼ中央に位置して有る。ペダル▲２▼を踏むとテコ棒全体が▲１▼の点を基点としてペダル▲２▼は丸く円を書く様に回る、其の時▲３▼の自転車のクランクも同じ回転する。
基点▲１▼は棒▲４▼の下点と重なり合って取付けあり棒▲４▼の上端は車体に取付けて上下に動かない様にぶら下げているので左右には自由に動く、テコ棒の▲１▼を支点▲２▼のペダルが力点となり▲３▼のアームが作用点になり素足の１点でアームを回すより軽い力で走行が出来る。
【請求項２】
クランクが回る時にテコ棒は上下左右に動き回るが点▲１▼は上下に動かないのは▲４▼の上端を車体に止めて取付け、ぶら下がった状態で上下には動かず左右には動く、テコ棒の動きに合わせてアームとベアリングが回り動いて自転車の走行が出来る。
【発明の詳細な説明】
【技術分野】
【０００１】この発明は自転車のペダルを回す力をテコ棒を利用して軽く回す様にしたものである。
【背景技術】
【０００２】従来自転車のペダルは坂道又は悪路に来た時に苦労して踏んでいた。
【先行技術】
【特許文献】
【０００３】
【発明の概要】
【発明が解決しようとする課題】
【０００４】これは次の様な欠点があった。
従来自転車の走行中、坂道や悪路に来た時車輪を回すペダルに負担が大きくかかり自転車を動かすのに苦労をしていたが、本発明は以上の様な欠点をなくす為になされたものである。
【課題を解決する為の手段】
【０００５】この発明はテコ棒の端を点▲１▼として他の端を点▲２▼として▲２▼にペダルを付けた。テコ棒の中央左よりに▲３▼を設けた。▲３▼はベアリング又はローラーベアリング又は鋼製のブッシュを付けて軽く回転する様にした。ペダル▲２▼を踏むと自転車のクランク▲８▼の先端にあるテコ棒の▲３▼も上下左右に回る。其の時テコ棒▲１▼はペダル▲２▼を踏み降ろすのに反して上に揚がろうとするのを止める為の棒▲４▼を設けて棒▲４▼の上端にテコ棒が左右に動く様にボルトで車体に▲６▼に取付けた。下端▲１▼はテコ棒が自由に動くようにボルトで合わせて取付けた。ペダル▲２▼を踏むと自転車のクランク先のテこ棒の▲３▼も回る。其の時にテコ棒▲１▼を基点としてテコ棒全体は上下左右に動いて自転車は走行する。
【発明の効果】
【０００６】テコ棒の▲２▼のペダルを踏むと中央の▲３▼はテコ棒▲１▼基点としてテコ棒全体がテコの力を利用して従来の自転車のペダル踏む力より強い力が出て速く軽く楽に乗る事が出来る。
【図面の簡単な説明】
【０００７】
【図１】  自転車の右側面にテコ棒を取付けた図
【図２】  テコ棒のベアリングとアングル、ナット、ベアリングカバー、割りピンの図
【図３】  テコ棒の取付け図
【図４】  テコ棒、止め棒▲４▼との関係を示す図  ペダルは下死点から上死点に移動する時はほぼ垂直に近回りする（点線はペダルの軌道を示す）
【発明を実施する為の形態】
【０００８】踏んだペダルが自転車の前輪に当たらない様にクランクの長さを短く調整した。
【符号の説明】
【０００９】    １  テコ棒の端基点
２  ペダル
３  テコ棒の中央ベアリング
４  テコ棒が上るのを止める為の棒
５  ベアリングカバー取付け用の穴
６  止め棒を車体に取付ける金具
７  割りピンの穴
８  クランクアングル
９  ナット
１１，１２  ベアリングカバー
１３  ナットの回り止め割りピン
【図１】
2015048070.tif 000003
【図２】
2015048070.tif 000004
【図３】
2015048070.tif 000005
【図４】
2015048070.tif 000006
(57)【要約】【課題】壁照明と生け花、その他水栽培などを一緒に飾りインテリア効果を上げるための観賞用壁掛照明を提供する。【解決手段】壁照明に受け棚を設け、壁照明と受け棚を一体化することにより、壁照明と花、その他水栽培を一緒に飾ることができ、インテリア効果を上げられる観賞用壁掛照明。【選択図】図１
2015185540.tif 000002
【特許請求の範囲】
【請求項１】
壁照明に受け棚を設け、生け花、その他水栽培などを受け棚の上に置き、インテリア効果を上げるために、壁照明と受け棚を一体化した観賞用壁掛照明。
【発明の詳細な説明】
【技術分野】
【０００１】  本発明は、壁照明と、観賞用生け花又は、水栽培などを同時に飾ることを目的とした観賞用壁掛照明に関するものである。
【背景技術】
【０００２】  従来、壁照明は間接照明で、部屋を美しく見せる照明器具として使用され、観賞用生け花は、部屋を美しく飾るインテリアとして花瓶などに入れ棚や玄関などに置かれ飾られていた。
【発明の開示】
【発明が解決しようとする課題】
【０００３】  そのために、次のような問題があった。
壁照明と花、その他水栽培などは、別の所で飾られる為、それぞれのインテリア性が低  い。
本発明は以上の問題点を解決しようとするものである。
【課題を解決するための手段】
【０００４】  壁照明に受け棚を取り付け、生け花、その他水栽培など、部屋の空間を美しく飾るために、壁照明と受け棚を一体化した観賞用壁掛照明である。
【発明の効果】
【０００５】  本発明は、壁照明と生け花、その他水栽培を同じ所に飾ることによりインテリア効果を高め、より一層部屋を綺麗に飾ることができる。
【発明を実施するための最良の形態】
【０００６】  以下、本発明の実施の形態を説明する。
（イ）  照明を取り付けるための（１）天板に、電球（８）を取り付ける。
（ロ）  電球（８）に、照明カバー（２）を取り付け（１）天板に固定する。
（ハ）  スライド金具（３）に、天板（１）を止めネジ（７）で固定する。
（ニ）  スライド金具（３）に、壁掛板（４）を止めネジ（７）で固定する。
（ホ）  壁掛板（４）に、受け棚（５）を取り付ける。
本発明は、以上の構成よりなっている。
本発明を使用するときは、電気コード（６）を差し込むコンセントがあるかを確認し    たうえで壁にフックを取り付け、壁掛板（４）をフックに掛けて、花瓶に入れた生け    花や、その他水栽培などを受け棚に置いて使用する。
【図面の簡単な説明】
【０００７】
【図１】本発明の斜視図
【図２】本発明の分解斜視図
【図３】本発明の使用状態を示す斜視図
【符号の説明】
【０００８】１  天板
２  照明カバー
３  スライド金具
４  壁掛板
５  受け棚
６  電気コード
７  止めネジ
８  電球
【図１】
2015185540.tif 000003
【図２】
2015185540.tif 000004
【図３】
2015185540.tif 000005
(57)【要約】      （修正有）【課題】単層および多層積層膜を有するフィルム状試料を、光硬化樹脂やエポキシ樹脂など電子顕微鏡用固定樹脂中に埋め込むと、フィルム状試料が樹脂中で湾曲する。この湾曲を抑え、顕微鏡試料の作製を容易にする冶具を提供する。【解決手段】上面側窓枠状フィルム１と下面側窓枠状フィルム７とから構成されるフィルム状試料用固定冶具を用いて、樹脂中でフィルム系試料１２を平坦に保持する。下面側窓枠状フィルムの上面側窓枠状フィルム側には接着剤面６が設けられている。【選択図】図１
2015175627.tif 000002
【特許請求の範囲】
【請求項１】
上面側窓枠状フィルムと下面側窓枠状フィルムとから構成されるフィルム状試料用固定冶具であって、前記下面側窓枠状フィルムの前記上面側窓枠状フィルム側には接着剤面が設けられていることを特徴とするフィルム状試料用固定冶具。
【請求項２】
前記上面側窓枠状フィルムおよび前記下面側窓枠状フィルムは、ポリエチレンテレフタレートまたはアクリル樹脂からなり、かつ、室温から１００℃の温度領域で形状が保持されることを特徴とする請求項１に記載のフィルム状試料用固定冶具。
【請求項３】
前記下面側窓枠状フィルムの接着剤面にフィルム状試料を固定し、さらに該フィルム状試料側から前記上面側窓枠状フィルムを重ね合わせたフィルム状試料用固定冶具を、電子顕微鏡用固定樹脂中に埋め込み、フィルム状試料を平坦に保つことを特徴とする請求項１または請求項２に記載のフィルム状試料用固定冶具の使用方法。
【発明の詳細な説明】
【技術分野】
【０００１】
本発明は、光学顕微鏡および電子顕微鏡に関するものであり、フィルム状の単層試料や積層試料の断面観察用試料作製を容易にする治具を提供するものである。
【背景技術】
【０００２】
単層および多層積層膜を有するフィルム状試料を、光硬化樹脂やエポキシ樹脂など電子顕微鏡用固定樹脂中に埋め込むと、フィルム状試料が樹脂中で湾曲する。
【先行技術文献】
【特許文献】
【０００３】
【特許文献１】特開２０１３−０６１１９２号公報
【発明の概要】
【発明が解決しようとする課題】
【０００４】
本発明は、フィルム状試料の湾曲を抑え、樹脂中で試料を平坦に保持することにより、顕微鏡試料の作製を容易にすることを課題とする。
【課題を解決するための手段】
【０００５】
本発明は、上記の課題を解決するために成されたものであり、請求項１に記載の発明は、上面側窓枠状フィルムと下面側窓枠状フィルムとから構成されるフィルム状試料用固定冶具であって、前記下面側窓枠状フィルムの前記上面側窓枠状フィルム側には接着剤面が設けられていることを特徴とするフィルム状試料用固定冶具である。
【０００６】
請求項２に記載の発明は、前記上面側窓枠状フィルムおよび前記下面側窓枠状フィルムは、ポリエチレンテレフタレートまたはアクリル樹脂からなり、かつ、室温から１００℃の温度領域で形状が保持されることを特徴とする請求項１に記載のフィルム状試料用固定冶具である。
【０００７】
請求項３に記載の発明は前記下面側窓枠状フィルムの接着剤面にフィルム状試料を固定し、さらに該フィルム状試料側から前記上面側窓枠状フィルムを重ね合わせたフィルム状試料用固定冶具を、電子顕微鏡用固定樹脂中に埋め込み、フィルム状試料を平坦に保つことを特徴とする請求項１または請求項２に記載のフィルム状試料用固定冶具の使用方法である。
【発明の効果】
【０００８】
本発明のフィルム状試料用固定冶具を用いることにより、フィルム状試料の湾曲を抑え、電子顕微鏡用固定樹脂中で試料を平坦に保持することが可能となる。
【図面の簡単な説明】
【０００９】
【図１】本発明の固定冶具の形態の一例を示す断面概略図。
【図２】本発明の固定冶具に使用する上面側固定冶具の一例を示す表面概略図。
【図３】本発明の固定冶具に使用する上面側固定冶具の一例を示す断面概略図。
【図４】本発明の固定冶具に使用する下面側固定冶具の一例を示す表面概略図。
【図５】本発明の固定冶具に使用する下面側固定冶具の一例を示す断面概略図。
【発明を実施するための形態】
【００１０】
本発明の実施の形態を図１〜図５に基づいて説明する。
【００１１】
本発明のフィルム状試料用固定冶具は、上面側窓枠状フィルム１と下面側窓枠状フィルム７とから構成される。
【００１２】
上面側窓枠状フィルム１には、上面側窓部２が設けられている。また、下面側窓枠状フィルムに嵌合させるための突起３、４、５が設けられている。
【００１３】
下面側窓枠状フィルム７には、下面側窓部８が設けられている。また、下面側窓部８の周囲には、粘着剤面６が設けられている。また、上面側窓枠状フィルムの突起と嵌合させるための穴部９、１０、１１が設けられている。
【００１４】
前記の上面側窓枠状フィルム１および下面側窓枠状フィルム７は、ガラスナイフ、ダイヤモンドナイフ、かみそり、はさみなどで容易に切削・切断できる材質でできている。具体的には、ポリエチレンテレフタレートやアクリル樹脂などの成型加工ができ、かつ、室温から１００℃の温度領域で形状を保つことができる材質が挙げられる。
【００１５】
次に、本発明のフィルム状試料用固定冶具の使用方法を説明する。
【００１６】
下面側窓枠状フィルム７の粘着剤面６にフィルム状試料１２を貼り付け、下面側窓枠状フィルム７の粘着剤６からはみ出たフィルム状試料をかみそり、または、はさみで切断する。そして、上面側窓枠状フィルムの突起３、４、５を下面側窓枠状フィルムの穴部９、１０、１１に挿入し、上下の窓枠状フィルムでフィルム状試料１２をはさみ、光硬化型樹脂やエポキシ樹脂などの電子顕微鏡用固定樹脂中に埋め込む。ミクロトーム装置に包埋試料を取り付け、フィルム状試料の断面、ないしは、薄片切削を行う。
【００１７】
電子顕微鏡用固定樹脂に埋め込む前に成型する場合は、上下の窓枠状フィルムでフィルム状試料１２をはさんだ状態で、かみそり、またははさみで形状を整える。
【００１８】
本発明のフィルム状試料用固定冶具を用いることにより、電子顕微鏡用固定樹脂の硬化中にフィルム状試料の変形を防ぐことが可能となる。また、上面側窓枠状フィルムでフィルム状試料を上面から押さえることで、フィルム状試料の浮きや湾曲を抑え、フィルム状試料を平坦に保持することが可能となる。
【符号の説明】
【００１９】
１  ・・・上面側窓枠状フィルム
２  ・・・上面側窓部３  ・・・突起
４  ・・・突起
５  ・・・突起
６  ・・・接着剤面
７  ・・・下面側窓枠状フィルム
８  ・・・下面側窓部
９  ・・・穴部
１０・・・穴部
１１・・・穴部
１２・・・フィルム状試料
【図１】
2015175627.tif 000003
【図２】
2015175627.tif 000004
【図３】
2015175627.tif 000005
【図４】
2015175627.tif 000006
【図５】
2015175627.tif 000007
(57)【要約】【課題】  動き回る乳幼児のおむつ替えがしやすいように、股部分を胸及び背中にそれぞれ留めることが出来る留め具を付けた乳幼児服を提供する。【解決手段】  乳幼児服（１）の胸部分の留め具（２）と正面股部分を留める留め具（３）及び背中部分の留め具（４）と背面股部分を留める留め具（５）を設けた留め具付乳幼児服を特徴とする。【選択図】図１
2015175085.tif 000002
【特許請求の範囲】
【請求項１】
乳幼児服（１）の胸部分の留め具（２）と正面股部分を留める留め具（３）及び背中部分の留め具（４）と背面股部分を留める留め具（５）を設けた乳幼児服。
【発明の詳細な説明】
【技術分野】
【０００１】  この発明は、股部分を胸及び背中に留めるための留め具を取り付けた乳幼児服に関するものである。
【背景技術】
【０００２】  従来、乳幼児服は、股同士を留めるための留め具がついているのみであった。
【先行技術文献】
【特許文献】
【０００３】
【特許文献１】
【発明の概要】
【発明が解決しようとする課題】
【０００４】  従来品は着せた服が脱げないようにするために股同士を留める留め具がついているのみであった。この服の大きな欠点は、乳幼児のおむつ替えを行う際、股部分は垂れたままになるため、一方の手で股部分が垂れてこないように抑え、おしりについている汚れが服につかないように配慮する必要があった点である。
そのため、一方の手で服を抑え、もう一方の手で乳幼児のおしりを拭き、おむつを装着しなければならず、それらを片手で行うことは困難であった。このことから多くの母親は乳幼児を寝転がせておむつ替えを行おうとこころみるが、乳幼児はすぐに動き回るためこの方法も良いとは言えなかった。
また、立たせたままおむつ替えを行う際、乳幼児が動いてしまうと、たくし上げていた股部分が落ち、おしりについている汚れがついてしまい、不要なはずだった着替え、洗濯が必要になることが多く、少しでも手間を減らしたい育児の仕事を増やす結果となっていた。おむつ替えのあまりの困難さから、テープ式のおむつでよいはずの月例の乳幼児にパンツ式のおむつを使用させ経済的な効率も悪くなるケースもある。
本発明は、以上のような欠点をなくすためになされたものである。
【課題を解決するための手段】
【０００５】  乳幼児服（１）に、胸部分の留め具（２）と正面股部分を留める留め具（３）及び背中部分の留め具（４）と背面股部分を留める留め具（５）を設ける。
本発明は、以上の構成よりなる股部分を胸及び背中にそれぞれ留めることが出来る留め具付乳幼児服である。
【発明の効果】
【０００６】  本発明は、動き回る乳幼児の遊びの手を出来る限り邪魔することなくスムーズにおむつ替えを行うために考えられたものであるが、それ以上の効果が得られた。
（イ）胸と背中及び各股部分に留め具を取り付け、胸と股、背中と股を留めることが出来るようにしたことから、股をたくし上げながら乳幼児のおしりをふくことが無くなり、おむつ替えの際に両手が使え格段におむつ替えがしやすくなる。
（ロ）パンツ式のおむつを使っていた場合、テープ式でも楽に替えることが出来るようになるため経済的である。
（ハ）乳幼児も、おむつ替えで遊んでいる手を止められることが無いため、おむつ替えを嫌がって動き回ることが少なくなり、結果スムーズなおむつ替えを行えるようになる。
（ニ）病院や外出先でのおむつ交換台を不衛生と感じていた母親も多いが、本発明は乳幼児を立たせたままおむつ替えが出来るため衛生的である。
【図面の簡単な説明】
【０００７】
【図１】  本発明の正面図である。
【図２】  本発明の背面図である。
【本発明を実施するための形態】
【０００８】以下、本発明を実施する為の形態について説明する。
乳幼児服（１）の襟元に近い胸部分の中心に留め具（２）を取り付け、正面の股部分の中心に（２）と留めることのできる留め具（３）を取り付ける。背中も同様に、襟元に近い背中部分の中心に留め具（４）を取り付け、背面の股部分の中心に（４）と留めることのできる留め具（５）を取り付ける。
本発明は、以上のような構造である。
これを使用するときは、おむつ替えをする際に股部分（３）及び（５）を持ち上げ、（３）を（２）へ、（５）を（４）へ留めればよい。本乳幼児服は肌着として用いられることが通常であるので、本発明の上にほかの服を着ていたとしても、すべてを巻き込んで留めることが出来る。
【符号の説明】
【０００９】  １  乳幼児服
２  胸部分の留め具
３  正面股部分の留め具
４  背中部分の留め具
５  背面股部分の留め具
【図１】
2015175085.tif 000003
【図２】
2015175085.tif 000004
(57)【要約】【課題】  本発明は排尿用カテーテルで導尿を行いやすく、また脱がずに排泄ができるようにマチ部分が後ろから前に開けるループ（紐）付きマチ開きショーツを得ることにある。【解決手段】  ループ（紐）に指をひっかけマチ部分を開閉、前身頃とマチ部分に面ファスナーを設けた後ろから前に開けるループ（紐）付きマチ開きショーツを特徴とする【選択図】図１
2015175084.tif 000002
【特許請求の範囲】
【請求項１】
マチ部分が後ろから前に開閉する。
【請求項２】
後部マチ部分（１）にループ（紐）（２）を設ける。
【請求項３】
面ファスナー（３）（４）によりマチ部分が固定される。
【請求項４】
面ファスナー（５）（６）によりマチ部分が開閉される。
以上の構成よりなる後ろから前に開けるループ（紐）付きマチ開きショーツ。
【発明の詳細な説明】
【技術分野】
【０００１】    本発明は、排尿用カテーテルによる導尿がしやすく、またショーツを脱がずに排泄できる、後ろから前に開けるループ（紐）付きマチ開きショーツに関する。
【背景技術】
【０００２】    従来、導尿用としてのショーツはなかった。【０００３】    従来、手（指先を含む）の不自由な方が簡単楽にマチ部分が開閉できるショーツがなかった。【０００４】    従来、開放マチ部分を便器に触れず、また汚さずに脱がずに排泄ができるショーツがなかった。【０００５】    従来、後ろから前にマチ部分が開くショーツがなかった。
【先行技術文献】
【特許文献】
【特許文献】    なし。
【非特許文献】
【非特許文献】    なし。
【発明の概要】
【発明が解決しようとする課題】
【０００６】    これは次のような欠点があった。
（イ）排尿用カテーテルによる導尿用のショーツがなかった。
（ロ）市販のショーツ、介護用ショーツでは座位による導尿時、足が開きづらく不便を感じている。
（ハ）従来の前開きショーツではマチ部分が便器に触れて汚れ、脱がずに排泄すればマチ部分が汚れることが多かった。
（ニ）従来の前開きショーツでは、手（指先を含む）の不自由な方が簡単楽にマチ部分を開閉することができなかった。
（ホ）従来の前開きショーツではシールつき尿取りパッドの装着が手（指先を含む）の不自由な方にとって不便であった。
本発明は、以上のような欠点に鑑み、導尿が必要な方及び手（指先を含む）の不自由な方が排泄しやすいショーツを提供することを目的としている。
【課題を解決するための手段】
【０００７】    後部マチ部分（１）及び片方鼠蹊部をカットする。【０００８】    後部マチ部分（２）にループ（紐）を設ける。【０００９】    後部マチ部分（３）（４）に面ファスナーを設ける。【００１０】    前部マチ部分（５）（６）に面ファスナーを設ける。
本発明は、以上の構成よりなる後ろから前に開けるループ（紐）付きマチ開きショーツである。
【発明の効果】
【００１１】    （イ）開閉マチ部分が後ろから前に開くため、マチ部分が便器に触れず汚れない。
（ロ）開閉マチ部分が後ろから前に開くため、脱がずに排泄をしてもマチ部分が汚れない。
（ハ）開閉マチ部分が面ファスナーで前身頃に固定されるため汚れない。
（ニ）マチ部分のループ（紐）に指をかけることにより手（指先を含む）の不自由な方でも簡単楽に前開きができる。
（ホ）マチ部分が大きく開くため、座位でも大きく足を開くことができる。
（ヘ）排尿用カテーテルによる導尿が行いやすい。
（ト）マチ部分が前身頃に来るため、テープ止め尿取りパッドが装着しやすい。
【図面の簡単な説明】
【００１２】
【図１】  マチ部分の開放時を示した平面図である。
【図２】  後身頃を示した平面図である。
【図３】  マチ部分を前身頃に固定した平面図である。
【発明を実施するための形態】
【００１３】    以下、本発明を実施するための最良の形態について説明する。
マチ部分（１）を後ろから前に開く。
（２）のループ（紐）に指をひっかけマチ部分を開閉する。（３）（４）の面ファスナーで開放部位を前身頃に固定する。（５）（６）の面ファスナーでマチ部分を開閉する。
【実施例】
【００１４】    便座、車椅子に座った状態でマチ後方のループ（紐）に指をかけて前方にマチ部分を開ける。開けたマチ部分は面ファスナーで前身頃に固定する。ショーツを脱がずに導尿、排泄を行い、排泄終了後は紐に指をかけて後方へマチ部分を閉める。
【産業上の利用可能性】  高齢化における身体機能低下、身体麻痺患者及び認知症患者が急増することが予見できる。高齢者及び障害者が絶対必要とする下着であることから、繊維、縫製、福祉分野での利用可能性が高いとされる。
【符号の説明】
【００１５】１  後部マチ
２  ループ（紐）
３  面ファスナー
４  面ファスナー
５  面ファスナー
６  面ファスナー
７  前身頃
８  後身頃
【図１】
2015175084.tif 000003
【図２】
2015175084.tif 000004
【図３】
2015175084.tif 000005
(57)【要約】【課題】プレス成形品であるものの複数サイズに適用できてコストを低減する【解決手段】縁部に壁パネル２連結用の第１の溝部１１を備えるとともに上記第１の溝部１１よりも内側に壁パネル２連結用の第２の溝部１２を備え、上記第１の溝部１１と第２の溝部１２の間に切断加工部１３を有し、表面には化粧シート１４が配される。【選択図】図１
2015175095.tif 000002
【特許請求の範囲】
【請求項１】
縁部に壁パネル連結用の第１の溝部を備えるとともに上記第１の溝部よりも内側に壁パネル連結用の第２の溝部を備え、上記第１の溝部と第２の溝部の間に切断加工部を有しており、表面には化粧シートが配されることを特徴とする防水パン。
【請求項２】
上記化粧シートは、上記第１の溝部に壁パネルが連結されるとき、充填材が充填された上記第２の溝部を覆うとともに端部が上記第１の溝部内に折り込まれ、上記第２の溝部に壁パネルが連結されるとき、端部が上記第２の溝部内に折り込まれることを特徴とする請求項１記載の防水パン。
【発明の詳細な説明】
【技術分野】
【０００１】
本発明は、浴室ユニットにおける床パンや浴槽パン等の防水パンに関するものである。
【背景技術】
【０００２】
浴室ユニットにおける床パンや浴槽パン等の防水パンは、強度が要求されると同時に軽量であることも要求されることから、ＳＭＣによるプレス成形で生産されたものが多い。
【０００３】
一方、図３に示すように、防水パン１は、その周縁に壁パネル２を建て込むための壁受け部１０を設けることから、プレス成形品として防水パン１を製造する場合、浴室サイズのバリエーション数だけ、金型面数が必要となる。このために金型投資費用が高額となるために、防水パンの製造コストも高くなる。図３中の１５はパッキン、１６はコーキング剤である。
【先行技術文献】
【特許文献】
【０００４】
【特許文献１】特開平０７−２４７７０６号公報
【発明の概要】
【発明が解決しようとする課題】
【０００５】
本発明は上記問題に鑑みてなされたもので、プレス成形品であるものの複数サイズに適用できてコストを低減することができる防水パンを提供することを課題とする。
【課題を解決するための手段】
【０００６】
本発明にかかる防水パンは、縁部に壁パネル連結用の第１の溝部を備えるとともに上記第１の溝部よりも内側に壁パネル連結用の第２の溝部を備え、上記第１の溝部と第２の溝部の間に切断加工部を有しており、表面には化粧シートが配されることに特徴を有している。
【０００７】
上記化粧シートは、上記第１の溝部に壁パネルが連結されるとき、充填材が充填された上記第２の溝部を覆うとともに端部が上記第１の溝部内に折り込まれ、上記第２の溝部に壁パネルが連結されるとき、端部が上記第２の溝部内に折り込まれることに特徴を有している。
【０００８】
壁パネル連結用の溝部が縁部とその内側との２箇所に設けられていて、切断加工部に対して切断加工を行うか否かによって、サイズの異なるものに適用することができる。
【発明の効果】
【０００９】
本発明においては、異なるサイズに適用することができると同時に、壁パネルの連結についてはサイズが違っても同じ手順で壁パネルを連結することができる。しかも、化粧シートを有することから、防水パン本体については特に安価なものを利用することができる。
【図面の簡単な説明】
【００１０】
【図１】本発明の実施の形態の一例の部分断面図である。
【図２】同上の部分断面図である。
【図３】従来例の部分断面図である。
【発明を実施するための形態】
【００１１】
以下本発明を図示実施例に基づいて詳述すると、図１及び図２において、１は浴室ユニットにおける床パンあるいは浴槽パンとして用いられる防水パンであり、ＳＭＣによるプレス成形品である。
【００１２】
裏面側に補強用のリブ１８を複数備えている上記防水パン１は、縁部に壁パネル２の連結用として、壁パネル２の下端部が嵌め込まれる溝部１１を備え、さらに溝部１１の内側に、所要の間隔をおいて、もう一つの溝部１２を備えている。
【００１３】
第２の溝部１２は、第１の溝部１１と同じ構造で、やはり壁パネル２の下端部を嵌め込むことで、壁パネル２を連結することができる。そして、溝部１２の外側が、この防水パネル１におけるサイズ調整の際に切断加工される切断加工部１３となっている。
【００１４】
大きいサイズが必要な場合は、図示例の状態のままで溝部１１に壁パネル２をはめ込み連結する。小さいサイズが必要な場合は、図２に示すように、溝部１２のすぐ外側に位置する切断加工部１３で切断して、溝部１１を有している端部を切り離し、溝部１２に壁パネル２を嵌め込み連結する。図２中の３は切断線を示している。
【００１５】
上記切断加工部１３は、溝部１２の外壁面をガイドとして切断することで、綺麗に切断することができる。切断加工部１３に予め切り込みを設けておいてもよい。
【００１６】
ところで、外側の溝部１１に壁パネル２を連結する場合、内側に位置する溝部１２をそのままとしておいては問題が生じる。このために、図１に示すように、溝部１２に充填剤１７を充填した後、防水パン１の表面側の全面に、化粧シート（加飾シート）１４を貼ることで、溝部１２の存在を完全に隠している。なお、上記化粧シート１４の端部は、溝部１１に折り込んで、壁パネル２によって押さえ込むことで、化粧シート１４が剥がれることがないようにしている。図中の１６はコーキング剤である。
【００１７】
浴室サイズが小さい場合には、前述のように切断加工部１３で切断し、溝部１２に壁パネル２を連結する。この場合も、図２に示すように化粧シート１４を表面に貼って、化粧シート１４の端部を溝部１１に折り込んで、壁パネル２によって押さえ込む。
【００１８】
このように、壁パネル２の連結用に２つ（３つ以上であってもよい）の溝部１１，１２を備え、切断加工部１３での切断によって、複数の浴室サイズ（例えば１６１６サイズと１３１７サイズ）に適用させることができるものであり、しかも、溝部１１，１２は同じ形状であって、壁パネル２の連結はいずれの場合も壁パネル２の下端部を嵌め込むだけでよく、異なるサイズへの対応に際して、壁パネル２の連結に別部品を必要としない。
【００１９】
化粧シート１４を表面に貼ることから、防水パン１の本体には良好な外観を得ることができない安価なプレス成形品を利用することができる。また、溝部１１に壁パネル２を連結した時の溝部１２の存在は、充填剤１７及び化粧シート１４によって、隠されてしまうために、異なる浴室サイズに対応させても、同じ内装を確保することができる。
【符号の説明】
【００２０】
１  防水パン
２  壁パネル
１１  溝部
１２  溝部
１４  化粧シート
【図１】
2015175095.tif 000003
【図２】
2015175095.tif 000004
【図３】
2015175095.tif 000005
(57)【要約】【課題】全てのコアにおけるマイクロベンディング損失の増加を抑制してコアの更なる高密度化が可能なマルチコア光ファイバを提供する。【解決手段】複数のコア１０１と、複数のコア１０１の周囲に形成された第１のクラッド１０２と、第１のクラッド１０２の周囲に形成された第２のクラッド１０３と、を備え、第２のクラッド１０３は、コア１０１に対する比屈折率差が−１．０％以上−０．３％以下であるマルチコア光ファイバ１００である。第２のクラッド１０３は、厚さが５μｍ以上１５μｍ以下であると良い。第２のクラッド１０３は、フッ素が添加された石英ガラスからなると良い。【選択図】図１
2015175981.tif 000002
【特許請求の範囲】
【請求項１】
複数のコアと、
複数の前記コアの周囲に形成された第１のクラッドと、
前記第１のクラッドの周囲に形成された第２のクラッドと、
を備え、
前記第２のクラッドは、前記コアに対する比屈折率差が−１．０％以上−０．３％以下であることを特徴とするマルチコア光ファイバ。
【請求項２】
前記第２のクラッドは、厚さが５μｍ以上１５μｍ以下である請求項１に記載のマルチコア光ファイバ。
【請求項３】
前記第２のクラッドは、フッ素が添加された石英ガラスからなる請求項１又は２に記載のマルチコア光ファイバ。
【発明の詳細な説明】
【技術分野】
【０００１】
本発明は、空間分割多重方式を利用した光通信を実現するマルチコア光ファイバに関する。
【背景技術】
【０００２】
通信データの大容量化に伴い、空間分割多重方式（Space Division Multiplexing；ＳＤＭ）を利用した光通信技術の研究開発が進められている。この空間分割多重方式では、複数の通信経路を用意する必要があることから、図２に示すように、複数のコア２０１と、複数のコア２０１の周囲に形成されたクラッド２０２と、を備えるマルチコア光ファイバ（Multi-Core Fiber；ＭＣＦ）２００を使用することが提案されている（例えば、特許文献１参照）。
【先行技術文献】
【特許文献】
【０００３】
【特許文献１】特開平５−３４１１４７号公報
【発明の概要】
【発明が解決しようとする課題】
【０００４】
マルチコア光ファイバ２００では、コア２０１の実効断面積を増加させて非線形光学効果の発生を抑制するためにコア径を拡大させているが、互換性の観点からマルチコア光ファイバ２００の外径を大きくすることはできないので、コア径を拡大させた場合には、マルチコア光ファイバ２００をケーブル化する際やシステムに組み入れる際に、マルチコア光ファイバ２００の側面から不均一な圧力（側圧）が掛かることにより、光ファイバ軸がコア径と比較して小さい曲率半径で曲げられ易くなるため、マイクロベンディング損失が増加する虞がある。
【０００５】
特に、多数のコア２０１が高密度に実装されたマルチコア光ファイバ２００では、クラッド２０２の周面の近傍に配置されるコア２０１が多くなり、これらのコア２０１には、側圧に起因するマイクロベンディング損失が増加し易くなるため、コア２０１の更なる高密度化は困難であった。
【０００６】
そこで、本発明の目的は、全てのコアにおけるマイクロベンディング損失の増加を抑制してコアの更なる高密度化が可能なマルチコア光ファイバを提供することにある。
【課題を解決するための手段】
【０００７】
この目的を達成するために創案された本発明は、複数のコアと、複数の前記コアの周囲に形成された第１のクラッドと、前記第１のクラッドの周囲に形成された第２のクラッドと、を備え、前記第２のクラッドは、前記コアに対する比屈折率差が−１．０％以上−０．３％以下であるマルチコア光ファイバである。
【０００８】
前記第２のクラッドは、厚さが５μｍ以上１５μｍ以下であると良い。
【０００９】
前記第２のクラッドは、フッ素が添加された石英ガラスからなると良い。
【発明の効果】
【００１０】
本発明によれば、全てのコアにおけるマイクロベンディング損失の増加を抑制してコアの更なる高密度化が可能なマルチコア光ファイバを提供することができる。
【図面の簡単な説明】
【００１１】
【図１】本発明に係るマルチコア光ファイバを示す断面図である。
【図２】従来技術に係るマルチコア光ファイバを示す断面図である。
【発明を実施するための形態】
【００１２】
以下、本発明の好適な実施の形態を添付図面にしたがって説明する。
【００１３】
図１に示すように、本実施の形態に係るマルチコア光ファイバ１００は、複数のコア１０１と、複数のコア１０１の周囲に形成された第１のクラッド１０２と、第１のクラッド１０２の周囲に形成された第２のクラッド１０３と、を備えている。
【００１４】
コア１０１は、ゲルマニウムが添加された石英ガラスからなり、純粋石英ガラスと比較して屈折率が高くなっている。
【００１５】
第１のクラッド１０２は、純粋石英ガラスからなり、コア１０１と比較して屈折率が低くなっている。
【００１６】
第２のクラッド１０３は、コア１０１に対する比屈折率差が−１．０％以上−０．３％以下となるようにフッ素が添加された石英ガラスからなり、石英ガラスと比較して屈折率が低くなっている。これにより、マルチコア光ファイバ１００をケーブル化する際やシステムに組み入れる際に、マルチコア光ファイバ１００の側面から不均一な圧力（側圧）が掛かることにより、光ファイバ軸がコア径と比較して小さい曲率半径で曲げられたとしても、全てのコア１０１において光を十分に閉じ込めることが可能となり、マイクロベンディング損失の増加を抑制することができる。
【００１７】
また、第２のクラッド１０３は、厚さが５μｍ以上１５μｍ以下であることが好ましい。これにより、マルチコア光ファイバ１００の外径を従来と同じ１２５μｍとした場合でも、第１のクラッド１０２の厚さを十分に確保することができるため、フッ素がコア１０１や第１のクラッド１０２に拡散してマルチコア光ファイバ１００の光学特性が劣化することを抑制することが可能となる。
【００１８】
このマルチコア光ファイバ１００を製造する際にアニール処理を施すことにより、ガラスの構造緩和を促進してその仮想温度を低くすることができるため、伝送損失のうち８割から９割程度を占めるレイリー散乱損失を低減して低損失且つ高信頼のマルチコア光ファイバ１００を得ることが可能となる。
【００１９】
これまで説明してきたように、本実施の形態に係るマルチコア光ファイバ１００によれば、コア１０１に対する比屈折率差が−１．０％以上−０．３％以下である第２のクラッド１０３を備えているため、全てのコア１０１におけるマイクロベンディング損失の増加を抑制してコア１０１の更なる高密度化が可能となる。
【符号の説明】
【００２０】
１００  マルチコア光ファイバ
１０１  コア
１０２  第１のクラッド
１０３  第２のクラッド
【図１】
2015175981.tif 000003
【図２】
2015175981.tif 000004
(57)【要約】【課題】  従来の木材や樹脂等を擬似魚に成型されたルアーはバランスウェイトが固定又は半固定状態であり、特に軽量ルアーにおいてバランスウェイトの移動ができずルアーを交換しなければならないことを課題とする。【解決手段】  本発明はルアー用ウェイトに関するものであり、繊維、ウレタン、金属等を材料とする芯材の一部を単位長さあたりの重量が異なる材料で積層、又は一部に重い材料を連結した芯材を、輪または線に成形することからなる。  軽量樹脂で成形されたＶコマとＨコマは、ルアー用ウェイトを回転移動させ、ＶコマのＶ字等の形状により所定の位置で停止する機能を有する。本発明の輪または線の移動は、任意に所定の位置にルアー用ウェイトを移動させる。本発明に従うルアーは、フックの交換、ルアーが水分を含む等の外部的要因によるバランスの変化を調整できる効果がある。【選択図】図１
2015195791.tif 000002
【特許請求の範囲】
【請求項１】
繊維、ウレタン、金属等を材料とする芯材の一部に単位長さあたりの重量が異なる材料を積層し輪または線に成形すること特徴とするルアー用ウェイト。
【請求項２】
繊維、ウレタン、金属等を材料とする芯材の一部に重い材料を連結し、連結部が補強された芯材を輪または線に成形することを特徴とするルアー用ウェイト。
【請求項３】
請求項１または請求項２に記載の機能を有する釣り用のルアー。
【発明の詳細な説明】
【技術分野】
【０００１】  本発明は、ルアーバランスに関し繊維、ウレタン、金属等を材料とする芯材の一部に単位長さあたりの重量が異なる材料を積層し輪または線に成形することを特徴とする、又は繊維、ウレタン、金属等を材料とする芯材の一部に重い材料を連結し、連結部が補強された芯材を輪または線に成形することを特徴とするルアー用ウェイト（以下ＣＢＰとする）に関する。
【背景技術】
【０００２】  一般に製造されるルアー等は、木材や樹脂等を擬似魚に成型してルアー釣りに使用されている。【０００３】  このようなルアーの従来の製造方法を見ると、まず原材料となる木材等及び樹脂等を各種ルアーの規格に成型した後に鋼線やバランスウェイト等の部品を配置し、仮に組立て、浮遊試験を行った後、分解、各部品を再度配置し接着の行程を経て本体を接合し最終工程となる外周部の仕上げ塗装を施している。【０００４】  従来の製作方法により製作されたルアーは、バランスウェイトが固定又は半固定状態を有している。【０００５】  前述した従来の製作方法によるルアーは、ルアー用フックの交換又はルアー使用時の外的要因により、ルアーの泳ぎが変化する。【０００６】  前述の変化、特に軽量ルアーは従来のバランスウェイトの移動では、対応出来ない問題点がある。【０００７】  このような問題を解決するため、ルアーを交換することなる。
【発明の概要】
【発明が解決しようとする課題】
【０００８】  本発明はこうした実情に鑑みてなされたものであり、本発明はルアー内のＣＢＰを回転させる事によって、外形を変化させず、ルアーの泳ぎの変化を調整する製造方法を提供する事にある。
【課題を解決するための手段】
【０００９】  前述した目的を達成するための課題解決手段として、繊維、ウレタン、金属等を材料とする芯材の一部を単位長さあたりの重量が異なる材料で積層、又は一部に重い材料を連結した芯材を輪又は線に成形することを特徴とする。【００１０】  前述した目的を達成するために本発明の課題解決手段として、所定の位置に取り付けたＶコマとＨコマにＣＢＰをはめ込み、Ｖコマを回転させＣＢＰを所定の位置に移動することを特徴とする。
【発明の効果】
【００１１】  本発明に係わるＣＢＰによれば、軽量素材のＣＢＰと軽量樹脂のＶコマと軽量樹脂のＨコマの組み合わせは、困難とされた軽量ルアー変化の調整を可能にする。
又、ＣＢＰの上下、前後への回転移動は、ルアーに想定外の変化の効果をもたらす。【００１２】  併せて、前述したように具体的に明示した結果以外に本発明の特徴的な構成から容易に導き出され、期待される事が出来る特有な効果も本発明の効果に含まれる。
【図面の簡単な説明】
【００１３】
【図１】本発明の一実施形態に係るルアーを示す側面断面図である。
【図２】図１の“Ａ“の部分の斜視図である。
【図３】図２の“Ｂ“部分の正面図及び側面図である。
【図４】図２の“Ｃ“部分の正面図及び側面図である。
【図５】本発明品一ＣＢＰの正面図および部分図である。
【図６】本発明品二ＣＢＰの部分図である。
【発明を実施するための形態】
【００１４】  以下、添付された図面を参照し本発明の好ましい実施形態を詳細に説明する。
本発明を説明するに当たって、原則的に関連した公知の公正のように、既に当該技術分野の通常の技術者に自明な事項であって、本発明の技術的特徴を曖昧にすることができると判断される場合には、その詳細な説明を省略する。
【００１５】  図１は、本発明に係わるルアーを全体的に示す側面断面図である。
図２は図１の“Ａ”部分を拡大し、ＣＢＰの実施形態を示す斜視図である。
【００１６】  図２は、図面に示すように、ＣＢＰは、“Ｂ”のＶコマと“Ｃ”のＨコマで構成する。
【００１７】  図３は、図２の“Ｂ”の部分を拡大した正面図及び側面図である。
“Ｂ”のＶコマは、軽量樹脂で成形し、ルアー本体又は独立ケース内の所定の位置に取り付ける。
Ｖコマは、単独で回転しＣＢＰを移動させるＶ字等の形状と所定の位置で停止する機能を有する。
【００１８】  図４のＨコマは、軽量樹脂で成形し、ルアー本体又は独立ケース内に取り付ける。
Ｈコマは、ＣＢＰに張力をもたらすため、Ｈ字等の形状と所定位置から長手方向に移動する機能を有する。
【００１９】  図６は、本発明の一ＣＢＰである。
一ＣＢＰは繊維、ウレタン、金属等を材料とする芯材の一部を単位長さあたりの重量の異なる材料で正方向傾斜と逆方向傾斜で順次積層し樹脂皮膜することにより、その内径部に複層繊維による内径補強が形成されて、強度、柔軟性及び対衝撃性に極めて優れる機能を有する。
【００２０】  図７は、本発明の二ＣＢＰである。
二ＣＢＰは繊維、ウレタン、金属等を材料とする芯材の一部を単位長さあたりの重量の異なる材料で連結する。接合は繊維、樹脂、金属等で形成する。
大型ルアーの変化の調整は、単位当たりの長さの重量を増加させる必要がある。
本発明の一部単位長さあたりの重量の異なる材料の連結は容易にこの変化に対応し、接合を繊維、樹脂、金属等で形成することにより、強度、柔軟性及び対衝撃性が極めて優れる機能を有する。
【００２１】  以上、本発明に関わるＣＢＰを説明したが、本発明の技術的範囲は前述した実施形態に記載された内容に限定されるものではなく、該当技術分野の通常の知識を有する者により修正又は変更された等価の構成は、本発明の技術的思想の範囲から外れないものであるということができる。
【符号の説明】
【００２２】１．本体
２．ウェイト
３．Ｖコマ
４．Ｈコマ
５．一ＣＢＰ
６．二ＣＢＰ
７．リップ
８．アイ
【図１】
2015195791.tif 000003
【図２】
2015195791.tif 000004
【図３】
2015195791.tif 000005
【図４】
2015195791.tif 000006
【図５】
2015195791.tif 000007
【図６】
2015195791.tif 000008
(57)【要約】【課題】  ラーメンやうどんなどの日本の麺類は、フォークやスプーンでは食べることが難しく、洋食の食器にも合わなかった。また、麺をすすることに抵抗を感じる食文化の国々では、食べることをためらう人も多い。よって、日本の麺類をより広く諸外国に普及させるには食べやすくする必要があった。  本発明は、箸以外の食器でも食べやすい、リング状の麺を提供する。【解決手段】  一口大のリング状に形成したことを特徴とする、リング状の麺。【選択図】図２
2015195795.tif 000002
【特許請求の範囲】
【請求項１】
一口大のリング状に、形成した麺。
【発明の詳細な説明】
【技術分野】
【０００１】  本発明は、ラーメンやうどんなどの麺に関するものである。
【背景技術】
【０００２】  従来、麺類のラーメンやうどんなどの麺は、適当な長さで切断した、細長いものであった。
【先行技術文献】
【特許文献】
【０００３】
【特許文献１】
【発明の概要】
【発明が解決しようとする課題】
【０００４】  これは、次のような欠点があった。
ラーメンやうどんなどの麺類は、フォークやスプーンで食べることは難しかった。
また、麺をすすることに抵抗を感じる食文化の国々の人は、食べる事をためらう場合も多い。よって、諸外国への、日本の麺類の普及が十分になされていない。
本発明は、以上の問題点を解決するためになされたものである。
【問題を解決するための手段】
【０００５】  麺を、一口大のリング状に形成する。
【発明の効果】
【０００６】  麺類を、フォークやスプーンで食べる事を、本発明により可能にした。また、盛り付ける食器はどんぶり以外の器や皿などでも提供することができる。麺をすする事なく食べられるので、音をたてる心配がない。従って、食事マナーの異なる国々へ、日本の麺類をより広く普及させる事ができる。また、料理の具材としても利用できる。
【図面の簡単な説明】
【０００７】
【図１】  本発明の斜視図
【図２】  本発明の使用状態を示す斜視図
【発明を実施するための形態】
【０００８】  以下、本発明の実施の形態を説明する。
麺を、一口大のリング状に形成する。
本発明は、以上のような構造である。
本発明を使用するときは、リング状の麺（１）でラーメンやそうめんを調理してフォーク（２）やスプーンなどで食べる。麺は一口大でリング状の形をしているので、フォーク（２）の隙間から滑り落ちる事がなく、食べやすい。
【符号の説明】
【０００９】  １リング状の麺、２フォーク
【図１】
2015195795.tif 000003
【図２】
2015195795.tif 000004
(57)【要約】【課題】従来の梱包方法では食材の美味しさを維持したまま、家庭で手軽に食べれる事は難しく課題が多かった。【解決手段】新鮮な食材を、下処理と味付つけを行い電子レンジ対応の真空梱包袋を用いて真空梱包し、急速冷凍で冷凍する事で鮮度を長期間維持する事が出来、ご家庭の電子レンジで加熱調理をするだけで、美味しく食べる事が出来て、しかも、後片付けが簡単である。【選択図】なし【特許請求の範囲】
【請求項１】
新鮮な食材を下処理、味付のみで、電子レンジ対応の真空梱包袋で真空梱包と急速冷凍を行い、食べる時に電子レンジで加熱調理をして食べてもらう、梱包方法。
【発明の詳細な説明】
【技術分野】
【０００１】
本発明は、長期保存可能で食材を手間なく加熱調理出来ることに関する。
【背景技術】
【０００２】
従来の食材は、
食材としては、
a.食材をそのまま梱包していた。
b.食材の下処理を行い味付をして、真空梱包後、急速冷凍して、長期保存対応をしていた。
加工食品としては、
d.食材の下処理を行い、真空梱包後、加熱処理を行い、長期保存対応をしていた。
惣菜としては、
e.食材の下処理・調理を行い、梱包して店頭販売をしていた。
冷凍食品としては、
f.食材の下処理・加熱を含む加工処理を行い、梱包後急速冷凍して、長期保存対応をしていた。
最近の電子レンジ対応真空冷凍食品は、
g.食材の下処理・調理を行い、電子レンジ対応の真空梱包袋を利用して、真空梱包後、急速冷凍している。
【発明の概要】
【発明が解決しようとする課題】
【０００３】
新鮮な食材を、一般消費者が調理して食べるのは難しかったり面倒だったり、調理済みの冷凍食品はどうしても、加熱後に冷凍保存をするため期待したほどは美味しくなかったりします。
【課題を解決するための手段】
【０００４】
次の様な手順で食材を梱包する。
１．食材の下処理を行う
２．電子レンジで加熱後を想定した味付けを行う
３．電子レンジ対応の真空梱包袋で真空梱包する
４．急速冷凍を行う
この様に梱包された味付き食材を一般消費者では電子レンジにて加熱調理を行ってもらう
ポイントは、新鮮な食材に味付けを行い、食べやすくするため下処理はするが、加熱加工は行わずに真空梱包・急速冷凍を行うこと、一般消費者に袋を開けて別な容器に入れ替えることなく、電子レンジで加熱調理を行ってもらうことにより、新鮮な食材を新鮮な状態で旨味を逃さない一回だけの加熱調理のみで食べることが出来る事にあります。
【発明の効果】
【０００５】
生産地へ行って、新鮮な食材を精通した人に調理してもらう料理程ではありませんが、それに近い新鮮で美味しさを、冷凍冷蔵庫が有り電子レンジも置いている一般のご家庭で、手軽に、手間なく、食べたい時に直ぐ食べることが出来ます。しかも、調理に使う調理器具は電子レンジだけのため、後片付けが簡単です。
【実施例】
【０００６】
１．漁協より生きたままのほたて貝を購入
２．ほたて貝を洗浄
３．ほたて貝の上貝殻を除去
３．ほたて貝のウロを除去
４．しょう油、調理酒、みりんを調合液をほたて貝に適量を加える
５．電子レンジ対応の真空梱包袋に入れる
６．真空梱包機で脱気・シール加工
７．急速冷凍庫で冷凍
８．電子レンジで加熱調理